(57)【特許請求の範囲】
【請求項１】
筐体内に設けられたホース収納部にホースを内巻きして収納する消火栓装置において、
前記ホースの巻き状態における上辺部に当接又は係止して巻かれたホースが手前に倒れないように前記ホースの姿勢を保持する姿勢保持手段を有し、
該姿勢保持手段は、前記ホース収納部の奥側から手前側に向けて低くなるように傾斜した傾斜天井を備えてなることを特徴とする消火栓装置。
【請求項２】
前記姿勢保持手段は、前記ホース収納部の天井面から下方に向かって突出するように設けられたサポート部材をさらに有し、該サポート部材が前記ホース収納部の奥側から、前記ホースの直径以上の間隔で手前側に向かって配置されていることを特徴とする請求項１に記載の消火栓装置。
【請求項３】
筐体内に設けられたホース収納部にホースを内巻きして収納する消火栓装置において、
前記ホースの巻き状態における上辺部に当接又は係止して巻かれたホースが手前に倒れないように前記ホースの姿勢を保持する姿勢保持手段と、
前記ホースの巻き状態における下辺部に当接又は係止して巻かれたホースが手前に滑って移動しないように前記ホースの移動を規制するホース移動規制手段とを有し、
該ホース移動規制手段は、前記ホース収納部の奥側から手前側に向けて高くなるように傾斜した傾斜床部を備えてなることを特徴とする消火栓装置。
【請求項４】
前記姿勢保持手段とホース移動規制手段の少なくとも一方を構成する部材又は部位に、摩擦部材を貼り付けたことを特徴とする請求項１乃至３のいずれか一項に記載の消火栓装置。
【請求項５】
前記姿勢保持手段とホース移動規制手段の少なくとも一方が、前記ホース収納部における奥側から手前側の全範囲ではなく、奥側から手前に向かう所定の範囲にのみ設けられていることを特徴とする請求項１乃至４のいずれか一項に記載の消火栓装置。
【発明の詳細な説明】
【技術分野】
【０００１】
本発明は、トンネル等に設置される消火栓装置に関する。
【背景技術】
【０００２】
例えばトンネル内に設置される消火栓装置は、筐体内にホース収納部を備え、該ホース収納部に内巻きされたホースが収納されている。ホースは、保形ゴム引布ホースという水が内部に入っていなくても、円筒形状を保持するホースが用いられる。
【０００３】
このような内巻きされたホースは、ホースの引出し時において、ホースをある程度引き出してホース収納部内のホースが少なくなってくると、内巻きが崩れてホースが小さく巻かれた状態となって引き出されるようになる。このような状態になると、ホースがホース取出口から一気に外に押し出されて不要に引き出されてしまうという課題がある。
【０００４】
かかる課題を解決するため、特許文献１においては、内巻き状態の最外周のホースと接触する部位に摩擦部材を設けることが提案されている。
そして、摩擦部材を設ける部位として、特許文献１にはホース収納部を構成するホースバケットの左右の枠板内面及び筐体の底面のいずれかの箇所であると記載されている。
【先行技術文献】
【特許文献】
【０００５】
【特許文献１】特開２０１０−６３６５８号公報
【発明の概要】
【発明が解決しようとする課題】
【０００６】
特許文献１においては、内巻き式のホースに関する課題として、ホース引出し時に着目しているが、本発明者はホース収納時に着目した。
消火栓装置は設置された後でも、年に何回かホースを巻きほどいて点検する必要がある。そのため、消火栓装置の設置現場において、巻きほどいたホースを再び作業者が内巻きして収容する必要がある。
【０００７】
図１２は棒状体１７と帯板１９を備えてなるホース収納部１１にホース９を内巻きする場合の巻き順を説明する説明図であり、図中の丸はホース９を示し、丸内の数字は巻き順を示している。
図１２に示すように、ホース９は奥側から順に最外周を手前側に向かって巻いてゆき（丸数字の１〜８）、最も手前にくると、次に、最外周から一段内側に入って、手前から奥に向かって巻いてゆく（丸数字の９〜１６）。さらに、最も奥側まで到達すると、さらに内側に入って奥側から手前側に向かって巻いてゆく（丸数字の１７〜２０・・）、というのを繰り返す。
【０００８】
内巻きとは、ホース収納部１１という枠の内側に、枠に対してホース９を内側から押し付けるようにして巻いて行く特殊な巻き方である。一般的に、例えばホースリールにホースを巻くときは、芯材にホースを巻いて、下側のホースの上にさらにホースを巻き重ねるようにする。このようにホースを巻く場合でも、最初に芯材にホースをしっかりと巻いておかないと巻きが弛むので、最初に巻き締めを行う必要がある。これと同様に、内巻きの場合も、最初の巻きとなる最外周を巻くときに、ホース９を内側から枠にしっかりと押し付けるようにする必要がある。
【０００９】
しかしながら、ホース９の巻き始めの最外周においては、巻きの径も大きいことから、自重によって巻きの上辺部が天井面４１から離れようとして接触が弱くなり、図１３に示すように、手前側への倒れ込みが生じ、作業性を損ねるという問題がある。このような倒れ込みを防止するためには、相当強い力でホース９を枠に押し付けながら巻く必要から、内巻き作業は重労働となっており、この点でも作業性が悪いものとなっている。
【００１０】
このような問題に対して、特許文献１に開示されたものは、ホース内に圧力水が入り、内巻きされたホースが外に広がろう（まっすぐになろう）とすることで、ホース収納部の枠板に押し付けられることを前提として、摩擦板を設けるというものであり、摩擦力は圧力に比例することから、理にかなったものと言える。
しかしながら、本願発明が解決しようとする課題は、ホース内に圧力水の入っていない状態でホースを内巻きするものであり、押し付け力（圧力）が発生することを前提とする先行文献の技術では十分に課題解決するには至らない。
【００１１】
本発明はかかる課題を解決するためになされたものであり、ホース収納部にホースを内巻きする際の倒れ込みを防止して作業性の向上を図ることができる消火栓装置を提供することを目的としている。
【課題を解決するための手段】
【００１２】
（１）本発明に係る消火栓装置は、筐体内に設けられたホース収納部にホースを内巻きして収納する消火栓装置において、
前記ホースの巻き状態における上辺部に当接又は係止して巻かれたホースが手前に倒れないように前記ホースの姿勢を保持する姿勢保持手段を設けたことを特徴とするものである。
【００１３】
（２）また、上記（１）に記載のものにおいて、前記姿勢保持手段は、前記ホース収納部の天井面から下方に向かって突出するように設けられたサポート部材であり、該サポート部材が前記ホース収納部の奥側から、前記ホースの直径以上の間隔で手前側に向かって配置されていることを特徴とするものである。
【００１４】
（３）また、上記（１）又は（２）に記載のものにおいて、前記姿勢保持手段は、前記ホース収納部の奥側から手前側に向けて低くなるように傾斜した傾斜天井を備えてなることを特徴とするものである。
【００１５】
（４）また、上記（１）乃至（３）のいずれかに記載のものにおいて、前記ホースの巻き状態における下辺部に当接又は係止して巻かれたホースが手前に滑って移動しないように前記ホースの移動を規制するホース移動規制手段を設けたことを特徴とするものである。
【００１６】
（５）また、上記（４）に記載のものにおいて、前記ホース移動規制手段は、前記ホース収納部の床面から上方に向かって突出するように設けられた下サポート部材であり、該下サポート部材が前記ホース収納部の奥側から、前記ホースの直径以上の間隔で手前側に向かって配置されていることを特徴とするものである。
【００１７】
（６）また、上記（４）又は（５）に記載のものにおいて、前記ホース移動規制手段は、前記ホース収納部の奥側から手前側に向けて高くなるように傾斜した傾斜床部を備えてなることを特徴とするものである。
【００１８】
（７）また、上記（１）乃至（６）のいずれかに記載のものにおいて、前記姿勢保持手段とホース移動規制手段の少なくとも一方を構成する部材又は部位に、摩擦部材を貼り付けたことを特徴とするものである。
【００１９】
（８）また、上記（１）乃至（７）のいずれかに記載のものにおいて、前記姿勢保持手段とホース移動規制手段の少なくとも一方が、前記ホース収納部における奥側から手前側の全範囲ではなく、奥側から手前に向かう所定の範囲にのみ設けられていることを特徴とするものである。
【発明の効果】
【００２０】
本発明においては、ホースの巻き状態における上辺部に当接又は係止して巻かれたホースが手前に倒れないように前記ホースの姿勢を保持する姿勢保持手段を設けたことにより、ホース収納部にホースを内巻きする際の倒れ込みを防止して作業性の向上を図ることができる
【図面の簡単な説明】
【００２１】
【図１】本発明の一実施の形態に係る消火栓装置の要部の正面図である。
【図２】本発明の一実施の形態に係る消火栓装置の要部の側面図である。
【図３】本発明の一実施の形態に係る消火栓装置の正面図である。
【図４】図３に示した消火栓装置の前傾扉を開けた状態の平面図である。
【図５】図３に示した消火栓装置の側面図である。
【図６】本発明の一実施の形態に係る消火栓装置の他の態様の要部の側面図である。
【図７】本発明の他の実施の形態に係る消火栓装置の要部の側面図である。
【図８】本発明の実施の形態３に係る消火栓装置の要部の側面図である。
【図９】本発明の実施の形態４に係る消火栓装置の要部の側面図である。
【図１０】本発明の実施の形態３，４の他の態様に係る消火栓装置の要部の側面図である。
【図１１】本発明の実施の形態３，４の他の態様に係る消火栓装置の要部の側面図である。
【図１２】発明が解決しようとする課題を説明する説明図である（その１）。
【図１３】発明が解決しようとする課題を説明する説明図である（その２）。
【発明を実施するための形態】
【００２２】
［実施の形態１］
本実施の形態に係る消火栓装置１は、筐体内に設けられたホース収納部１１にホース９を内巻きして収納するものにおいて、ホース９の巻き状態の上辺部に当接又は係止して巻かれたホース９が手前に倒れないように姿勢を保持させる姿勢保持手段を設けたものである。
以下においては、消火栓装置１の全体構成を概説した後、特徴部分である姿勢保持手段について詳細に説明する。
【００２３】
＜消火栓装置の全体構成＞
消火栓装置１は、図３〜図５に示すように、箱状の筺体３と、筐体３の前面に設けられた開口部５ａを有する前面パネル５と、前面パネル５の開口部５ａに開閉可能に設けられた前傾式扉７とを備えている。なお、本明細書において、消火栓装置１における位置を示す用語としての「手前」とは、図３における前面パネル側をいい、「奥」とは背面側をいう。
以下、各構成を詳細に説明する。
【００２４】
＜筐体＞
筐体３は、図３〜図５に示すように、矩形の箱状からなり、筐体３内には内巻きに巻き回されたホース９を収納するホース収納部１１及び収納されたホース９を引き出すための中央開口部１３が設けられている。また、筐体３内には、ホース収納部１１の右側に、消火栓弁や自動調圧弁を有する配管系統１５が設けられている。配管系統１５は、その先端側がホース収納部１１の側部に位置し、該先端にホース９の基端側が接続され、配管系統１５の基端側は図示しない給水源に接続されている。
【００２５】
《ホース収納部》
ホース収納部１１は、筐体３の内壁上面から内壁下面に至る２本の棒状体１７と、棒状体１７から筐体３の内壁背面に至る略Ｌ字状に屈曲した２枚の帯板１９と、傾斜天井２１と、底面部２３とを備えて構成されている。
そして、２本の棒状体１７の間に中央開口部１３が形成され、ここからホース９が引き出される。
また、図３〜図４に示すように、筐体３の図中左側には、消火器２５を収納するための消火器収納部２７が設けられている。
【００２６】
＜前面パネル＞
前面パネル５は、筐体３の前面に設けられ、中央開口部１３の前方に位置する部位が開口しており、この開口部５ａを開閉可能に前傾式扉７が取り付けられ、また前面パネル５の左側には消火器扉２９が開閉可能に設けられている。
【００２７】
＜前傾式扉＞
前傾式扉７は横長の矩形状をしており、上述のように前面パネル５の開口部５ａを開閉可能に取り付けられている。
前傾式扉７は、下辺両端に回動軸（蝶番３１）が設けられ、開口部５ａを閉鎖状態から、図３、４に示すように、略９０°開くことができる。
前傾式扉７の背面側には、消火ノズル３３を着脱可能に固定するノズル固定部３５及び、ホース９に消火水を供給する配管系統１５に設けられた消火栓弁を開閉操作する操作レバー３７が設けられている。
【００２８】
＜姿勢保持手段＞
姿勢保持手段は、ホース９の巻き状態の上辺部に当接又は係止して巻かれたホース９が手前に倒れないようにホース９の姿勢を保持するものである。
本実施の形態では、姿勢保持手段を、ホース収納部１１の奥側から手前側に向けて低くなるように傾斜した傾斜天井２１によって構成したものである。
【００２９】
傾斜天井２１を設けることにより、巻きの上辺部が自重によって多少下方に下がり、傾斜天井２１から離れようとしても、傾斜天井２１は手前側が低くなっているので、上辺部が手前側に倒れるのを防止できる。このように、巻きの上辺部が倒れてこないので、作業効率が格段に向上すると共に、内巻き作業時にホース９を傾斜天井２１に押し付ける力を多少小さくできることからも内巻き作業の効率化を図ることができる。
【００３０】
なお、傾斜天井２１の傾斜角度は、水平面に対して５度〜３０度程度にするのが好ましい。傾斜角度を大きくすると内巻き作業は容易になる反面ホースを引き指す際の引出力が増加するためこの程度とすることが適当である。
【００３１】
なお、上記の説明では、傾斜天井２１は、ホース収納部１１における奥側から手前側の全長に亘って傾斜させた例を示したが、ホース９の倒れ込みが生じて特に作業上で問題となるのは奥側から１本、あるいは２本の部分であるから、これらに倒れ込みが生じないようにするため、この範囲のみを傾斜天井２１にして、それよりも手前側は水平天井にしてもよい。
【００３２】
なお、傾斜天井２１の下面には、図６に示すように、ホース９との摩擦力を高めるような摩擦部材３９を貼り付けるようにしてもよい。摩擦部材３９としては、ゴムシートのようなものや表面に凹凸のあるようなものであればよい。摩擦部材３９を貼り付けることで、傾斜天井２１の傾斜角度を小さく設定することができる。
【００３３】
［実施の形態２］
本実施の形態の消火栓装置４０は、図７に示すように、姿勢保持手段を、ホース収納部１１の天井面４１から下方に向かって突出するように設けられたサポート部材４３によって構成したものである。なお、実施の形態１に示したものと同一部分には同一の符号を付してある。
サポート部材４３は、図７に示すように、最奥のホース９とこれに隣接するホース９の間にサポート部材４３を設置したものである。サポート部材４３を設ける位置は、奥の壁からホース９の直径程度手前側に離れた位置である。
サポート部材４３の天井面４１からの突出長さは、奥行き方向に隣接するホース９の接触点に当接する程度にするのが好ましい。
サポート部材４３を設けることにより、ホース９が手前に倒れ込むのを確実に防止できる。
【００３４】
サポート部材４３は、筐体３の幅方向に延びる板状のものであってもよいし、棒状のものを幅方向で１本乃至は複数本設けるようにしてもよい。
また、サポート部材４３におけるホース９との当接面に摩擦部材３９を貼り付けるようにしてもよい。
また、サポート部材４３自体の材質をゴム材などの柔軟性を有する材質とすることで、ホースを引き出す際の障害となりにくい。さらにゴム材であれば、それ自体が摩擦力を有するので、姿勢保持手段としての効果も高い。
【００３５】
なお、上記の例では、サポート部材４３を最奥のホース９とこれに隣接するホース９の間にのみ設けた例であるが、隣接するホース９の間のすべてにサポート部材４３を設けるようにしてもよいし、あるいは、最奥と、最奥から２つ目までの隙間に設けるようにしてもよい。奥側から手前側に向かって複数のサポート部材４３を設ける場合には、それらの間隔はホース９の直径以上とするのが望ましい。
また、上記の全ての実施形態における姿勢保持手段は、それぞれ単独で、または組み合わせてもよい。
【００３６】
また、上記の実施の形態では、ホース９の後端と配管系統１５との接続がホース収納部１１の横にある場合について説明したが、本発明はこれに限られるものではなく、ホース９の後端と配管系統１５との接続がホース収納部１１の後ろ、あるいは下となる取合いの場合であっても適用できる。
【００３７】
［実施の形態３］
実施の形態１、２においては、巻き状態のホース９の上辺部に、ホース９が手前に倒れないように姿勢を保持させる姿勢保持手段を設けたものであった。上述したように、ホース９を内巻きするときには、内側から外側に圧力をかけるため、当該圧力を逃すためにホースの上辺部に倒れ込みを生じていた。
上辺部に倒れ込みが生じたのは、矩形状に巻いたホース９において、上辺部が最も圧力を逃し易い箇所、換言すればホース９の滑りや移動が生じやすい箇所であったからであり、実施の形態１、２によって、上辺部の倒れ込みを防止すると、上辺部が最も圧力を逃がし易い箇所ではなくなり、下辺部が最も圧力を逃がしやすい箇所となって、当該部分が前方に滑るという現象が生ずることが分かった。
【００３８】
そこで、本実施の形態の消火栓装置４４は、図８に示すように、実施の形態１で示した上辺部の姿勢保持手段としての傾斜天井２１を設けることを前提として、さらに下辺部にホース９の下辺部が前方に滑って移動するのを規制するホース移動規制手段を設けたものである。
以下、ホース移動規制手段について、図８に基づいて詳細に説明する。
【００３９】
＜ホース移動規制手段＞
本実施の形態では、ホース移動規制手段を、ホース収納部１１の奥側から手前側に向けて高くなるように傾斜した傾斜床部４５によって構成したものである。
【００４０】
傾斜床部４５を設けることにより、ホース９の巻きの下辺部が滑って手前側に移動しようとしても、傾斜床部４５は手前側が高くなっているので、下辺部が手前側に移動するのを防止できる。このように、ホース９巻きの下辺部が手前に滑って移動せず、かつ上辺部の倒れ込みもないので、作業効率が格段に向上する。
【００４１】
なお、傾斜床部４５の傾斜角度は、水平面に対して５度〜３０度程度にするのが好ましい。
傾斜角度を大きくすると内巻き作業は容易になる反面ホースを引き指す際の引出力が増加するためこの程度とすることが適当である。
【００４２】
なお、上記の説明では、傾斜床部４５は、ホース収納部１１における奥側から手前側の全長に亘って傾斜させた例を示したが、ホース９の手前側への滑りが生じて特に作業上で問題となるのは奥側から１本目、あるいは２本目の部分であるから、これらに手前側への滑りが生じないようにするため、この範囲のみを傾斜床部４５にして、それよりも手前側は水平床部にしてもよい。
【００４３】
なお、傾斜床部４５の下面には、実施の形態１で説明した摩擦部材３９（図６参照）を貼り付けるようにしてもよい。摩擦部材３９を貼り付けることで、傾斜床部４５の傾斜角度を小さく設定することができる。
【００４４】
［実施の形態４］
本実施の形態の消火栓装置４６は、図９に示すように、実施の形態２で示した姿勢保持手段としてのサポート部材４３を設けることを前提として、ホース移動規制手段として、ホース収納部１１の底面部２３から上方に向かって突出するように設けられた下サポート部材４７を設けたものである。
図９において実施の形態２に示したものと同一部分には同一の符号を付してある。
【００４５】
なお、実施の形態２ではサポート部材４３を最奥のホース９とこれに隣接するホース９の間にのみ設けていたが、本実施の形態の消火栓装置においては、サポート部材４３は、図９に示すように、各ホース隙間の全てに設けている。また、下サポート部材４７についても、各ホース隙間の全てに設けている。
下サポート部材４７の底面部２３からの突出長さは、奥行き方向に隣接するホース９の接触点に当接する程度にするのが好ましい。
下サポート部材４７を設けることにより、ホース９が手前に滑って移動するのを確実に防止できる。
【００４６】
なお、下サポート部材４７は、サポート部材と同様に、筐体３の幅方向に延びる板状のものであってもよいし、棒状のものを幅方向で１本乃至は複数本設けるようにしてもよい。
また、下サポート部材４７におけるホース９との当接面に摩擦部材３９（図６参照）を貼り付けるようにしてもよい。
また、下サポート部材４７自体の材質をゴム材などの柔軟性を有する材質とすることで、ホースを引き出す際の障害となりにくい。さらにゴム材であれば、それ自体が摩擦力を有するので、ホース移動規制手段としての効果も高い。
【００４７】
なお、上記の例では、隣接するホース９の間のすべてに下サポート部材４７を設けるようにしたが、下サポート部材４７は、最奥のホース９とこれに隣接するホース９の間にのみ設けるようにしてもよいし、あるいは、最奥と、最奥から２つ目までの隙間に設けるようにしてもよい。奥側から手前側に向かって複数の下サポート部材４７を設ける場合には、それらの間隔はホース９の直径以上とするのが望ましい。
【００４８】
実施の形態３では、姿勢保持手段として傾斜天井を、ホース移動規制手段として傾斜床部をそれぞれ設けたものであり、また実施の形態４では、姿勢保持手段としてサポート部材４３を、ホース移動規制手段として下サポート部材４７をそれぞれ設けたものであり、これら実施の形態３，４のものは、姿勢保持手段とホース移動規制手段が類似の構成のもの同士を組み合わせたものであった。
しかし、本発明はこれに限られるものではなく、図１０に示す消火栓装置４９のように、姿勢保持手段として傾斜天井２１を、ホース移動規制手段として下サポート部材４７をそれぞれ設けるようにしてもよいし、あるいは図１１に示す消火栓装置５０のように、姿勢保持手段としてサポート部材４３を、ホース移動規制手段として傾斜床部４５をそれぞれ設けるようにしてもよい。
また、実施形態３、４におけるホース移動規制手段は、それぞれ単独で、または組み合わせてもよい。
【符号の説明】
【００４９】
１  消火栓装置
３  筐体
５  前面パネル
５ａ  開口部
７  前傾式扉
９  ホース
１１  ホース収納部
１３  中央開口部
１５  配管系統
１７  棒状体
１９  帯板
２１  傾斜天井
２３  底面部
２５  消火器
２７  消火器収納部
２９  消火器扉
３１  蝶番
３３  消火ノズル
３５  ノズル固定部
３７  操作レバー
３９  摩擦部材
４０  消火栓装置（実施の形態２）
４１  天井面
４３  サポート部材
４４  消火栓装置（実施の形態３）
４５  傾斜床部
４６  消火栓装置（実施の形態４）
４７  下サポート部材
４９  消火栓装置（実施の形態３，４の他の態様）
５０  消火栓装置（実施の形態３，４の他の態様）
【図１】
0006670175.tif 000002
【図２】
0006670175.tif 000003
【図３】
0006670175.tif 000004
【図４】
0006670175.tif 000005
【図５】
0006670175.tif 000006
【図６】
0006670175.tif 000007
【図７】
0006670175.tif 000008
【図８】
0006670175.tif 000009
【図９】
0006670175.tif 000010
【図１０】
0006670175.tif 000011
【図１１】
0006670175.tif 000012
【図１２】
0006670175.tif 000013
【図１３】
0006670175.tif 000014